(57)【要約】【課題】  圧縮ファイルが記録された記録媒体の使用者が不快な思いをせずに情報を再生することができる情報再生装置を提供する。【解決手段】  記録媒体ＤＫに記録された音楽情報を再生する情報再生装置Ｐであって、予め設定された音楽情報の音質を示す質指標、例えば、ビットレートに基づき、圧縮されて記録されている音楽情報の再生を禁止するＣＰＵ１４を有する情報再生装置Ｐにより、上記課題を解決する。情報再生装置Ｐは、再生を禁止する音楽情報の質指標により表される質の範囲を設定するために用いられる操作部１５をさらに有することが好ましい。【選択図】  図１
2005276308.tif 000002
【特許請求の範囲】
【請求項１】
記録媒体に記録された情報を再生する情報再生装置であって、
予め設定された前記情報の質を示す質指標に基づき、圧縮されて記録されている前記情報の再生を禁止する再生禁止手段を有することを特徴とする情報再生装置。
【請求項２】
前記再生禁止手段により再生を禁止する前記情報の前記質指標により表される質の範囲を設定するために用いられる設定手段を、さらに有することを特徴とする請求項１に記載の情報再生装置。
【請求項３】
前記情報は、音声または画像の少なくともいずれかの情報であることを特徴とする請求項１または請求項２に記載の情報再生装置。
【請求項４】
前記情報の質は、ビットレートまたはサンプリング周波数の少なくともいずれかであることを特徴とする請求項１乃至請求項３のいずれか一項に記載の情報再生装置。
【請求項５】
前記再生禁止手段は、
前記記録媒体から前記情報の質を読み取る読取手段と、
前記読取手段により読み取られた前記情報の質と前記質指標により表される質の範囲とを比較する比較手段と、
を有し、
前記情報の質が前記質指標により表される質の範囲内である場合に、前記情報の再生を禁止することを特徴とする請求項１乃至請求項４のいずれか一項に記載の情報再生装置。
【請求項６】
前記再生禁止手段が再生を禁止した前記情報について、再生を禁止した旨を告知する告知手段を有することを特徴とする請求項１乃至請求項５のいずれか一項に記載の情報再生装置。
【請求項７】
前記情報が圧縮されているか否かを示す前記質指標に基づき、前記記録媒体に記録されている全ての前記情報が圧縮されていない場合に、前記再生禁止手段が機能しないことを特徴とする請求項１乃至請求項６のいずれか一項に記載の情報再生装置。
【請求項８】
前記情報再生装置が再生できる前記情報の質が予め定められている場合に、
前記再生禁止手段は、予め定められている前記質以外の質を有する前記情報の再生を禁止することを特徴とする請求項１乃至請求項７のいずれか一項に記載の情報再生装置。
【請求項９】
記録媒体に記録された情報を再生する情報再生方法であって、
予め設定された前記情報の質を示す質指標に基づき、圧縮されて記録されている前記情報の再生を禁止する再生禁止工程を有することを特徴とする情報再生方法。
【請求項１０】
記録媒体に記録された情報を再生する情報再生装置に含まれるコンピュータを、
予め設定された前記情報の質を示す質指標に基づき、圧縮されて記録されている前記情報の再生を禁止する再生禁止手段として機能させることを特徴とする情報再生プログラム。
【請求項１１】
記録媒体に記録された情報を再生する情報再生装置に含まれるコンピュータを、
予め設定された前記情報の質を示す質指標に基づき、圧縮されて記録されている前記情報の再生を禁止する再生禁止手段として機能させる情報再生プログラムを、
前記コンピュータで読み取り可能に記録したことを特徴とする情報記録媒体。
【発明の詳細な説明】
【技術分野】
【０００１】
本願は、記録されている情報を再生する情報再生装置、情報再生方法、情報再生プログラム並びに情報記録媒体に関する。
【背景技術】
【０００２】
ＣＤ（compact disc）等の記録媒体を有効に利用するために、音楽情報や画像情報等の情報を記録する際に圧縮する技術が知られている。このような情報を圧縮して記録し、圧縮された情報を再生する技術として、例えば、特許文献１に示されるように、簡単な構成で記録媒体の有効利用を図り得る記録再生装置等が提案されている。
【特許文献１】特開２００３−２８３９９８
【０００３】
一方、記録媒体に情報を圧縮する際に基準となるビットレート（ｂｐｓ；bits per second等の単位で表す。）は特定されておらず、様々な種類のビットレートでファイルが作成されて、記録媒体に記録されている。
【発明の開示】
【発明が解決しようとする課題】
【０００４】
ビットレートを下げることにより、ファイルが記録媒体を占有する容量は減るが、データの劣化が激しくなるので、情報の質（音質や画質）が低下する。このように、ビットレートの程度によっては、そのファイルを再生したときの情報の質が悪く、ファイルおよびファイルを再生する再生装置の使用者が不快な思いをする場合があった。
【０００５】
そこで、本願は、上述の圧縮ファイルが記録された記録媒体の使用者が不快な思いをせずに情報を再生することができる情報再生装置、情報再生方法、これらの情報再生を行うために用いられるプログラムおよびこのプログラムが記録された記録媒体を提供することを課題の一例とする。
【課題を解決するための手段】
【０００６】
上記の課題を解決するために、請求項１に記載の発明は、記録媒体に記録された情報を再生する情報再生装置であって、予め設定された前記情報の質を示す質指標に基づき、圧縮されて記録されている前記情報の再生を禁止する再生禁止手段を有することを特徴とする情報再生装置である。
【０００７】
上記の課題を解決するために、請求項９に記載の発明は、記録媒体に記録された情報を再生する情報再生方法であって、予め設定された前記情報の質を示す質指標に基づき、圧縮されて記録されている前記情報の再生を禁止する再生禁止工程を有することを特徴とする情報再生方法である。
【０００８】
上記の課題を解決するために、請求項１０に記載の発明は、記録媒体に記録された情報を再生する情報再生装置に含まれるコンピュータを、予め設定された前記情報の質を示す質指標に基づき、圧縮されて記録されている前記情報の再生を禁止する再生禁止手段として機能させることを特徴とする情報再生プログラムである。
【０００９】
上記の課題を解決するために、請求項１１に記載の発明は、記録媒体に記録された情報を再生する情報再生装置に含まれるコンピュータを、予め設定された前記情報の質を示す質指標に基づき、圧縮されて記録されている前記情報の再生を禁止する再生禁止手段として機能させる情報再生プログラムを、前記コンピュータで読み取り可能に記録したことを特徴とする情報記録媒体である。
【発明を実施するための最良の形態】
【００１０】
以下、図面を参照し、本願の実施形態について説明する。
【００１１】
本実施形態は、本願の情報再生装置としてＣＤ再生装置を用い、記録媒体として音楽情報を記録しているＣＤメディアを用いた場合の実施形態である。また、本実施形態のＣＤメディアは、ＭＰ３（MPEG Audio LAYER3）形式により圧縮された音楽情報が記録されている。なお、係る実施形態は、本願を限定するものではなく、本願の技術思想の範囲内において任意に変更可能である。
【００１２】
まず、図１は、本実施形態のＣＤ再生装置の概要構成を示すブロック図である。また、図２は、本実施形態のＣＤメディアのデータ構造を示す図である。さらに、図３は、本実施形態のＣＤ再生方法のフローチャートを示す図である。
【００１３】
本実施形態のＣＤ再生装置の構成について、図１を用いて説明する。
【００１４】
図１に示すように、本実施形態に係るＣＤ再生装置Ｐは、ＣＤメディアＤＫが回転可能に固定されているスピンドルモータ１０と、ピックアップ１１と、増幅部１２と、復号部１３と、ＣＰＵ（central processing unit；中央演算処理装置）１４と、操作部１５と、ディスプレイ１６と、により構成されている。
【００１５】
なお、例えば、ＣＰＵ１４は、本願の再生禁止手段として機能し、さらに、読取手段、比較手段として機能する。また、例えば、操作部１５は、本願の設定手段として機能し、ディスプレイ１６は、本願の告知手段として機能する。
【００１６】
この構成において、スピンドルモータ１０は、ＣＰＵ１４からのスピンドルサーボ制御信号Ｓcsにより示される回転数によりＣＤメディアＤＫを回転させる。このスピンドルモータ１０の回転数は、ピックアップ１１の位置により、少なくとも６８０〜１４００ｒｐｍ程度には変化できるようになっている。
【００１７】
そして、ピックアップ１１は、ＣＰＵ１４からのピックアップ制御信号Ｓcpに従い、情報再生用の一定強度の光ビームＢｍをＣＤメディアＤＫに照射し、ＣＤメディアＤＫからの光ビームＢｍの反射光に基づき、ＣＤメディアＤＫに記録されていた音楽情報に対応する検出信号Ｓppを生成して増幅部１２へ出力する。
【００１８】
これにより、増幅部１２は、当該検出信号Ｓppを予め設定された増幅率により増幅し、増幅信号Ｓampとして復号部１３へ出力する。また、増幅部１２は、増幅信号Ｓampのうち、ＣＤメディアＤＫの音楽情報の質を示す情報に係る信号の他、必要な情報に係る信号をＣＰＵ１４へ出力する。
【００１９】
そして、復号部１３は、ＣＰＵ１４からの制御信号Ｓdcに基づき、所定の場合には、増幅信号Ｓampに対して予め設定された復号処理を施し、音楽情報Ｓpとして他の装置であるスピーカ装置へ出力する。
【００２０】
一方、ＣＰＵ１４には、後述する操作部１５を用いて使用者が再生を禁止する質指標により表される音質の範囲の情報が入力されている。
【００２１】
ＣＰＵ１４は、増幅部１２から、増幅信号Ｓampのうち、ＣＤメディアＤＫの音楽情報の音質を示す情報に係る信号を取得する。そして、ＣＰＵ１４は、使用者が入力した質指標により表される音質の範囲とＣＤメディアＤＫの音楽情報の音質を示す情報とを比較し、使用者が入力した質指標により表される音質の範囲にＣＤメディアＤＫの音楽情報の音質が含まれる場合には、当該音楽情報の再生を禁止する。一方、ＣＰＵ１４は、使用者が入力した質指標により表される音質の範囲にＣＤメディアＤＫの音楽情報の音質が含まれない場合には、当該音楽情報の再生を許可する。
【００２２】
ＣＰＵ１４は、音楽情報の再生を禁止する場合には、複号部１３に制御信号Ｓdcを出力し、増幅信号Ｓampに対して復号処理を施さず、音楽情報Ｓpをスピーカに出力させない。音楽情報の再生を許可する場合には、複号部１３に制御信号Ｓdcを出力し、上述のように音楽情報Ｓpをスピーカに出力させる。
【００２３】
なお、ＣＰＵ１４は、音楽情報が圧縮されているか否かを示す質情報に基づき、ＣＤメディアＤＫに記録されている音楽情報が圧縮されていない場合には、音楽情報の再生を禁止する上記機能を動作させない。また、ＣＤ再生装置Ｐが再生できる音楽情報の音質、例えば、規格が予め定められている場合に、ＣＰＵ１４は、ＣＤメディアＤＫに記録されている音楽情報の音質が、当該ＣＤ再生装置Ｐが再生できる音楽情報の音質に対応していない場合には、当該音楽情報の再生を禁止する。
【００２４】
さらに、ＣＰＵ１４は、上記スピンドルモータ１０の回転数を制御すべく、ＣＤメディアＤＫの回転数を示すスピンドルサーボ制御信号Ｓcsをスピンドルモータ１０へ出力する。また、ＣＰＵ１４は、ピックアップ１１の光ビームＢｍの照射についてピックアップの１１の位置や光ビームＢｍの照射量等を制御すべく、ピックアップ制御信号Ｓcpをピックアップ１１へ出力する。
【００２５】
操作部１５は、上記各構成部材におけるＣＤ再生装置Ｐとしての動作を実行させるために使用者に用いられて操作され、当該操作部１５はその操作に対応する操作信号Ｓopを生成してＣＰＵ１４へ出力する。そして、ＣＰＵ１４は、当該操作信号Ｓopに基づいてＣＤ再生装置Ｐを構成する上記各構成部材を統括制御する。特に、操作部１５は、ＣＰＵ１４により再生を禁止する音楽情報の質指標により表される質の範囲を使用者が設定するため用いられる。
【００２６】
また、ディスプレイ１６は、例えば、液晶ディスプレイ等から構成され、ＣＰＵ１４から出力される表示信号Ｓdpに基づいて、当該ＣＤ再生装置Ｐとしての動作状態等を表示する。特に、ディスプレイ１６は、ＣＰＵ１４が再生を禁止した音楽情報について、再生を禁止した旨を表示することにより、使用者にその旨を告知する。
【００２７】
次いで、本実施形態に係るＣＤ再生装置Ｐにより再生される音楽情報が記録されたＣＤメディアＤＫについて、図２を用いて説明する。
【００２８】
図２（ａ）は、ＣＤメディアＤＫのデータ構造の例を示すものであり、当該ＣＤメディアＤＫはＭＰ３形式により音楽情報が圧縮されたものである。
【００２９】
このＣＤメディアＤＫにおいて、ＭＰ３のビットストリームは、ヘッダ情報２１、ヘッダ情報２１のＣＲＣ（cyclic redundancy check；巡回冗長検査）２２、サイド情報２３、メインデータ２４、その他の付加データ２５からなる。
【００３０】
ヘッダ情報２１には、ＴＯＣ（table of contents）情報、バージョン情報、レイヤ、メインデータの音質を示すビットレート、メインデータの音質を示すサンプリング周波数、チャネルモード、エンファシス等が含まれている。
【００３１】
ここで、ＴＯＣ情報には、ＣＤメディアＤＫの音楽情報が圧縮されているか否かの質を示す質指標が含まれている。また、ビットレートとは、１秒間に送受信できるデータ量（ビット数）を表す数値であり、単位はｋｂｐｓが用いられる。さらに、サンプリング周波数は、アナログ信号からデジタル信号への変換（ＡＤ変換）を1秒間に何回行うかを表す数値であり、単位はＨｚが用いられる。以下、ビットレートとサンプリング周波数とを含んだ情報をＤＳＰ情報という。
【００３２】
ＣＲＣ２２は、データの読み書きが正しくされたかどうかを検査するための情報が含まれている。ＣＲＣ２２により、ヘッダ情報が誤りから保護されている。サイド情報２３は、メインデータ２４を複号処理するときに用いられる。メインデータ２４には、音楽情報が各ファイルに分かれて含まれており、当該音楽情報のバージョン、ビットレート、サンプリング周波数によるデータサイズがわかるようになっている。
【００３３】
また、図２（ｂ）は、ＣＤメディアＤＫに記録された音楽情報の順番と、各音楽情報のビットレートおよびサンプリング周波数の例を示す。具体的に、ＣＤメディアＤＫには、図２（ｂ）に示すように、一番目から八番目の音楽情報とそのＤＳＰ情報が記録されている。
【００３４】
図２（ｃ）に、ＭＰ３規格である、MPEG1.0 Audio LAYER3、MPEG2.0 Audio LSF LAYER3およびMPEG2.5 LAYER3について、対応サンプリング周波数と対応ビットレートを参考として示す。ビットレートの欄のＶＢＲは、Variable Bit Rate（可変ビットレート）の略であり、圧縮する情報に応じてビットレートを調整し、情報の質を維持するものである。ビットレートがＶＢＲである場合には、ビットレートの平均値を計算してＣＤメディアＤＫに記録しておいてもよいし、ＣＤ再生装置ＰがＣＤメディアの情報を読み取った際に、ビットレートの平均値を計算して図示しない記憶部に記憶しておいてもよい。ＣＰＵ１４が再生禁止の判断をするときには、これらのビットレートやサンプリング周波数が用いられる。
【００３５】
なお、ビットレートは、通常、１２８ｋｂｐｓ程度がＣＤ並の標準音質であり、ビットレートが大きくなるにつれて音質が向上し、ビットレートが小さくなるにつれて音質が低下する。
【００３６】
次いで、上述したＣＤ再生装置Ｐにおいて実行される本願に係る動作について、図３を用いて説明する。
【００３７】
なお、図３は、ＣＤ再生装置Ｐにおいて上述のＣＤメディアＤＫに記録された各ファイルを再生する動作を示すフローチャートである。この処理は、図１に示すＣＤ再生装置Ｐにおいて、ＣＤメディアＤＫが設置された場合に当該ＣＤメディアＤＫに記録された音楽情報をスピーカ装置で再生する際の実施形態である。このとき、質指標により表される音質の範囲として、「ビットレート１２８ｋｂｐｓ未満」と予め設定されており、この範囲の音質を有する情報の再生が禁止される。
【００３８】
まず、ＣＰＵ１４は、ＣＤメディアＤＫがスピンドルモータ１０と接続される所定のメディア設置部に設置されたことを認識する（ステップＳ１）。そして、ＣＰＵ１４は、スピンドルモータ１０により、ＣＤメディアＤＫを回転させ、ピックアップ１１および増幅部１２を通過した増幅信号Ｓampから、ＴＯＣ情報を読み取ると（ステップＳ２）、ＴＯＣ情報に含まれる質指標から、このＣＤメディアＤＫが音楽情報を圧縮して記録されたものであるか否かを判断する（ステップＳ３）。
【００３９】
このとき、ＣＤメディアＤＫは情報が圧縮して記録されたものであるため、ＣＰＵ１４は、ＣＤメディアＤＫは情報が圧縮されて記録されたものであると判断する（ステップＳ３；ＹＥＳ）。次いで、ＣＰＵ１４は、ＣＤメディアＤＫのファイルシステムを解析し（ステップＳ４）、ＣＤメディアＤＫ全体のタグ情報を取得し（ステップＳ５）、さらに、一番目の音楽情報のＤＳＰ情報を取得する（ステップＳ６）。次いで、ＣＰＵ１４は、ＤＳＰ情報に含まれるビットレート１６０ｋｂｐｓが、予め設定されている質指標により表される音質の範囲である１２８ｋｂｐｓ未満に含まれるか否かを判断する（ステップＳ７）。
【００４０】
このとき、ＣＤメディアＤＫの一番目の情報のビットレートは、予め設定されている質指標で表される音質の範囲内に含まれないため、ＣＰＵ１４は、そのように判断し（ステップＳ７；ＮＯ）、一番目の情報を再生する（ステップＳ８）。次いで、ＣＰＵ１４は、ＣＤメディアＤＫの全ての音楽情報についてステップＳ７の判断がされているか否かを判断する（ステップＳ９）。
【００４１】
このとき、メディアの二番目以降の音楽情報について判断されていないため、ＣＰＵ１４は、そのように判断し（ステップＳ９；ＮＯ）、次の、すなわち、二番目の音楽情報を取得して（ステップＳ１２）、二番目の音楽情報について、ステップＳ６の処理がされる。
【００４２】
次いで、ＣＰＵ１４は、二番目の音楽情報のＤＳＰ情報に含まれるビットレート９６ｋｂｐｓが、予め設定されている質指標により表される音質の範囲である１２８ｋｂｐｓ未満に含まれるか否かを判断する（ステップＳ７）。
【００４３】
このとき、ＣＤメディアＤＫの二番目の音楽情報のビットレートは、予め設定されている質指標により表される音質の範囲内に含まれるため、ＣＰＵ１４は、そのように判断し（ステップＳ７；ＹＥＳ）、二番目の音楽情報の再生を禁止して（ステップＳ１０）、二番目の音楽情報の再生を禁止した旨をディスプレイ１６に表示させる（ステップＳ１１）。次いで、ＣＰＵ１４は、メディアの全ての情報についてステップＳ７の判断がされているか否かを判断する（ステップＳ９）。
【００４４】
このとき、メディアの三番目以降の情報について判断されていないため、ＣＰＵ１４は、そのように判断し（ステップＳ９；ＮＯ）、次の、すなわち、三番目の音楽情報を取得して（ステップＳ１２）、三番目の音楽情報について、ステップＳ６の処理がされる。
【００４５】
このように、三番目以降の音楽情報についても、ステップＳ６からステップＳ１２までの処理および判断が繰り返され、ＣＰＵ１４は、ＣＤメディアＤＫの最後の情報である八番目の音楽情報のＤＳＰ情報に含まれるビットレート１９２ｋｂｐｓが、予め設定されている質指標により表される音質の範囲である１２８ｋｂｐｓ未満に含まれるか否かを判断する（ステップＳ７）。
【００４６】
このとき、ＣＤメディアＤＫの八番目の音楽情報のビットレートは、予め設定されている質指標により表される音質の範囲内に含まれないため、ＣＰＵ１４は、そのように判断し（ステップＳ７；ＮＯ）、八番目の音楽情報を再生する（ステップＳ８）。次いで、ＣＰＵ１４は、ＣＤメディアＤＫの全ての音楽情報についてステップＳ７の判断がされているか否かを判断する（ステップＳ９）。
【００４７】
このとき、ＣＤメディアＤＫの全ての音楽情報について、ステップＳ７の判断がされているため、ＣＰＵ１４は、そのように判断し（ステップＳ９；ＹＥＳ）、本動作を終了させる。
【００４８】
一方、上述のステップＳ３において、ＣＤメディアＤＫは音楽情報が圧縮されたものでない場合には、ＣＰＵ１４は、ＴＯＣ情報に含まれる質指標からＣＤメディアＤＫが音楽情報を圧縮されて記録されたものでないと判断し（ステップＳ４；ＮＯ）、全ての音楽情報を再生して（ステップＳ１２）、本動作を終了させる。
【００４９】
次いで、上述の実施形態の変形形態について説明する。
【００５０】
記録媒体として、ＣＤメディアＤＫを例に説明したが、これに限定されず、ＤＶＤ（digital versatile disc）メディア、ＭＤ（mini disc）メディア、ハードディスクメディア、フレキシブルディスクメディアの他、コンパクトフラッシュ（Ｒ）、スマートメディア（Ｒ）、メモリスティック（Ｒ）、ＳＤカード（Ｒ）、ｘＤ（Ｒ）等のメモリカードであってもよく、種々の記録媒体に用いることができる。また、これらの記録媒体は、一度のみの記録しかできないものでも、記録したものを消去した後再度記録可能なものでもよい。なお、以上の実施形態は、情報再生装置としてＣＤ再生装置Ｐを対象に説明したが、これに限定されず、例えば、ＣＤメディアＤＫの記録も可能であるＣＤ記録再生装置を用いてもよい。
【００５１】
ＣＤメディアＤＫに記録されている情報は、音楽情報として説明したが、これに限定されない。例えば、記録媒体に記録されている情報は、音声または画像の少なくともいずれかの情報であってもよい。そのため、復号部１３から情報が出力される他の装置は、上記実施形態にて説明したスピーカ装置に限定されず、出力される情報に応じて、ディスプレイ等の表示装置やテレビ受像装置であってもよい。
【００５２】
また、情報が圧縮されて記録されている例として、ＭＰ３形式で圧縮されている音楽情報について説明したが、圧縮方式はこれに限定されず、ＡＡＣ（advanced audio coding）形式による音楽情報、ＭＰＥＧ（moving picture experts group）１〜４形式による音声および動画像情報、ＪＰＥＧ（joint photographic experts group）形式による静止画像情報等の種々の圧縮方式を用いることができる。
【００５３】
再生を禁止する基準となる記録媒体に記録されている情報の質として、音質に関連するビットレートを用いて説明したが、情報の質はこれに限定されず、上述した音質に関連するサンプリング周波数や、その他の情報の質を用いてもよい。これらの情報の質としては、ビットレートまたはサンプリング周波数という一つの質を用いてもよいし、ビットレートとサンプリング周波数との二つの質を基準として用いてもよい。例えば、ビットレートが１２８ｋｂｐｓ以上、サンプリング周波数が４４．１Ｋの情報のみ再生する、等の設定をしてもよい。
【００５４】
予め設定した質指標により表される音質の範囲について、上記実施形態においては、「ビットレートが１２８ｋｂｐｓ未満」としたが、この値は、使用者の好みにより、操作部１５を用いて適宜変更することができる。また、ＣＤ再生装置Ｐ自体が「ビットレートが１２８ｋｂｐｓ未満」の場合に情報の再生を禁止するよう予め設定されてあり、必要に応じて、質指標により表される音質の範囲を使用者が設定し直せるように構成されていてもよい。
【００５５】
さらに、予め設定した質指標により表される音質の範囲を設定する際に、例えば、記録媒体中に音楽情報のファイルとインタビュー音声情報のファイルとが混在している場合には、音楽情報のファイルの質とインタビュー音声情報のファイルの質との間にあたる質指標Ａを用いることができる。音楽情報のみ再生したい場合には、当該質指標Ａ未満の情報の再生を禁止するよう質指標により表される音質の範囲を設定し、インタビュー音声情報のみ再生したい場合には、当該質指標Ａ以上の情報の再生を禁止するよう質指標により表される音質の範囲を設定することができる。これらの設定を、使用者による操作部１５を用いた指示により、ＣＰＵ１４が自動的に行うようにしてもよい。
【００５６】
また、ＣＤ再生装置Ｐが再生できる情報の質が、図２（ｃ）に示されるように、予め定められている場合に、ＣＰＵ１４は、定められている質指標以外の質を有する情報の再生を禁止することもできる。この場合には、図３のフローチャートにおけるステップＳ７よりも前の段階において、予め定められている質（MPEG1.0 Audio LAYER3であれば、サンプリング周波数48K / 44.1K / 32K、および、ビットレート320,256,224,192,160,128,
112,96,80,64,56,48,40,32ｋｂｐｓ）以外の質（例えば、ビットレートが134ｋｂｐｓ）を有する情報の再生を禁止する。
【００５７】
ＣＤ再生装置ＰのＣＰＵ１４が情報の再生を禁止することについては、再生を禁止する情報に係る増幅信号Ｓampを復号しないことにより、再生を禁止する態様について説明したが、再生を禁止するための制御は、この動作に限定されない。例えば、ＣＰＵ１４が、ピックアップ１１において、再生を禁止する情報が記録されたデータ領域に光ビームＢｍを照射しないように制御してもよいし、再生を禁止する情報に対応する検出信号Ｓppを増幅部１２へ出力しないよう制御してもよい。また、ＣＰＵ１４が、増幅部１２において、再生を禁止する情報に対応する検出信号Ｓppを増幅処理しないように制御してもよいし、再生を禁止する情報に対応する増幅された増幅信号Ｓampを復号部１３へ出力しないように制御してもよい。さらに、ＣＰＵ１４が、復号部１３において、増幅信号Ｓampに対して復号処理を施して音楽情報Ｓpとした後に、スピーカに出力しないように制御してもよい。
【００５８】
また、上記実施形態においては、本願の告知手段として、ＣＤ再生装置Ｐのディスプレイ１６に表示することにより、音楽情報の再生を禁止した旨を告知するようにしたが、この構成に限定されない。例えば、本願の告知手段として、図示しないスピーカ装置を用い、音声により音楽情報の再生を禁止した旨を告知するようにしてもよい。
【００５９】
上記実施形態において、ＣＰＵ１４は、記録媒体に記録されている音質を示すビットレート等を読み取り、質指標に基づいて音楽情報の再生を禁止したが、再生禁止手段としてのＣＰＵ１４の機能は、これに限定されない。例えば、ＣＰＵ１４は、記録媒体から音楽情報のメインデータ２４を読み取り、このメインデータ２４を解析することにより、音楽情報の音質を読み取り、質指標に基づいて音楽情報の再生を禁止してもよい。
【００６０】
さらに、図３に示すフローチャートに対応するプログラムをフレキシブルディスク又はハードディスク等の情報記録媒体に記録しておき、或いはインターネット等のネットワークを介して取得して記録しておき、これをマイクロコンピュータ等により読み出して実行することにより、当該マイクロコンピュータを各実施形態に係るＣＰＵ１４として機能させることも可能である。
【００６１】
以上説明した本実施形態のＣＤ再生装置Ｐは、ＣＤメディアＤＫに記録された情報を再生するＣＤ再生装置Ｐであって、予め設定された音楽情報の音質を示す質指標に基づき、圧縮されて記録されている音楽情報の再生を禁止する再生禁止手段としてＣＰＵ１４を有することを特徴とする。
【００６２】
よって、ＣＤ再生装置Ｐは、質指標に基づき音楽情報の再生を禁止するため、例えば、使用者が再生したくない程度の質を有する情報を自動的に省略して再生することが可能である。そのため、使用者は、再生された音質が悪い音楽情報を見聞きすることによる不快感が生じない。また、使用者は、ＣＤメディアＤＫに音質の悪い情報が記録されている場合に、当該音楽情報を省略して他の音楽情報を再生するための操作をする必要がなく、ＣＤ再生装置Ｐは、使用者の利便性に優れたものとなる。
【００６３】
また、上記本実施形態のＣＤ再生装置Ｐにおいて、ＣＰＵ１４により再生を禁止する音楽情報の質指標により表される音質の範囲を設定するために用いられる設定手段として操作部１５を、さらに有することを特徴とする。
【００６４】
よって、ＣＤ再生装置Ｐの使用者は、好みに合わせて質指標を設定することができる。そのため、例えば、使用者は音質が悪いと判断する質指標を再生の禁止範囲として設定し、ＣＤ再生装置Ｐは、設定された質指標により表される音質の範囲の音楽情報を再生することを禁止することができる。従って、ＣＤ再生装置Ｐは、使用者が再生したくない程度の音質を有する情報を自動的に排除して再生することが可能である。そのため、使用者は、音質が悪い情報が再生され、当該情報を見聞きすることによる不快感が生じない。また、使用者は、音質が悪い情報が再生されたときに、当該情報を省略して次の情報を再生するための操作をする必要がなく、ＣＤ再生装置Ｐは、使用者の利便性に優れたものとなる。
【００６５】
また、上記本実施形態のＣＤ再生装置Ｐにおいて、情報を音楽情報としたが、情報は、音声または画像の少なくともいずれかの情報とすることができる。
【００６６】
よって、本願の情報再生装置は、例えば、音声情報である楽曲や、画像情報である写真や絵、音声および画像情報であるドラマや映画等の映像を再生するときに、再生したくない程度の音質や画質を有する情報を自動的に排除して再生する。
【００６７】
また、上記本実施形態のＣＤ再生装置Ｐにおいて、音楽情報の音質は、ビットレートまたはサンプリング周波数の少なくともいずれかであることを特徴とする。
【００６８】
よって、ＣＤ再生装置Ｐは、音楽情報の音質を表す代表的な値であるビットレートまたはサンプリング周波数の少なくともいずれかに基づき、音楽情報の再生を禁止するため、使用者が再生したくない程度のビットレートを有する音楽情報を自動的に排除して再生することが可能である。そのため、使用者は、音質が悪い音楽情報が再生され、当該情報を見聞きすることによる不快感が生じない。また、使用者は、音質が悪い音楽情報が再生されたときに、当該情報をとばして次の音楽情報を再生するための操作をする必要がなく、ＣＤ再生装置Ｐは、使用者の利便性に優れたものとなる。
【００６９】
また、上記本実施形態のＣＤ再生装置Ｐにおいて、再生禁止手段としてのＣＰＵ１４は、ＣＤメディアＤＫから音楽情報の音質を読み取る読取機能と、読取機能により読み取られた音楽情報の音質と質指標により表される音質の範囲とを比較する比較機能と、を有し、音楽情報の音質が質指標により表される音質の範囲内である場合に、当該音楽情報の再生を禁止することを特徴とする。
【００７０】
よって、具体的に、ＣＰＵ１４がこのように機能することにより、予め設定された質指標により表される音質の範囲内の音質を有する音楽情報の再生を禁止することができる。そのため、上述のように、ＣＤ再生装置Ｐの使用者は、音質が悪い音楽情報が再生され、当該情報を見聞きすることによる不快感が生じない。
【００７１】
また、上記本実施形態のＣＤ再生装置Ｐにおいて、ＣＰＵ１４が再生を禁止した音楽情報について、再生を禁止した旨を告知する告知手段としてのディスプレイ１６を有することを特徴とする。
【００７２】
よって、再生が禁止された情報について、再生を禁止した旨がディスプレイ１６に表示されることにより告知されるため、使用者がどの情報の再生が禁止されたか認識することができ、ＣＤ再生装置Ｐは、使用者の利便性に優れたものとなる。
【００７３】
また、上記本実施形態のＣＤ再生装置Ｐにおいて、音楽情報が圧縮されているか否かを示す質指標に基づき、ＣＤメディアＤＫに記録されている全ての音楽情報が圧縮されていない場合に、再生禁止手段としてのＣＰＵ１４が機能しないことを特徴とする。
【００７４】
よって、圧縮がされていない情報を記録したＣＤメディア、例えば、ＣＤＤＡ（Compact Disc Digital Audio；音楽用ＣＤ）については、再生禁止手段が機能しないため、通常のようにＣＤメディアに記録されている音楽情報を全て再生することができる。また、これらの再生される音楽情報は、圧縮されていないため、音質が悪くならず、使用者も不快感を感じることなく音楽情報を再生することができる。
【００７５】
また、上記本実施形態のＣＤ再生装置Ｐにおいて、ＣＤ再生装置Ｐが再生できる情報の質が予め定められている場合に、再生禁止手段としてのＣＰＵ１４は、予め定められている質以外の質を有する情報の再生を禁止することを特徴とする。
【００７６】
よって、従来のＣＤ再生装置（情報再生装置）と同様に、予め定められている質以外の質を有する情報、すなわち、規格外の形式で圧縮された情報の再生を禁止することができるので、そのような情報の再生を自動的に省略できる。そのため、使用者は、規格外であり再生ができない情報について、ＣＤ再生装置Ｐが読み取り等を行う時間が省略され、不快感が生じない。また、使用者は、音質が悪い音楽情報が再生されたときに、当該情報をとばして次の音楽情報を再生するための操作をする必要がなく、ＣＤ再生装置Ｐは、使用者の利便性に優れたものとなる。
【図面の簡単な説明】
【００７７】
【図１】本願に係る実施形態のＣＤ再生装置の概要構成を示すブロック図である。
【図２】本願に係る実施形態のＣＤ再生装置において再生するＣＤメディアのデータ構造を示す図である。
【図３】本願に係る実施形態のＣＤ再生装置における再生処理の動作を示すフローチャートである。
【符号の説明】
【００７８】
１０    スピンドルモータ
１１    ピックアップ
１２    増幅部
１３    復号部
１４    ＣＰＵ
１５    操作部
１６    ディスプレイ
２１    ヘッダ情報
２２    ＣＲＣ
２３    サイド情報
２４    メインデータ
２５    付加データ
Ｐ      ＣＤ再生装置
ＤＫ    ＣＤメディア
Ｂｍ    光ビーム
【図１】
2005276308.tif 000003
【図２】
2005276308.tif 000004
【図３】
2005276308.tif 000005